【事件の表示】
　平成２年特許願第１８６１４６号「表示素子」拒絶査定に対する審判事件〔平成４年３月９日出願公開、特開平４−７３７９４、請求項の数（３）〕について、次のとおり審決する。
【結　論】
　原査定を取り消す。
　本願の発明は、特許すべきものとする。
【理　由】
〔１〕手続の経緯・本願発明
　本願は、平成２年７月14日の出願であって、その請求項１〜３に係る発明は、平成12年３月27日付け手続補正書により補正された明細書及び図面の記載からみて、その特許請求の範囲の請求項１〜３に記載された次の事項により特定されるとおりのものと認める。（以下「本願発明１」、「本願発明２」、「本願発明３」という。）
「(1)少なくとも前面が透明なケースと、ケースの前面に略平行になる位置とケースの前面に交差する位置との間で起伏する表示板を備えケース内に着脱自在に納装された複数個の表示ユニットとを具備し、各表示ユニットは、それぞれケース内の定位置に固定可能であってコイルが巻装されるコイルボビンが一体に形成された基台を備えるとともに、コイルボビンに挿通される形で一端部が基台に固定された鉄芯を有し、表示板には鉄芯の他端面との間で磁力を作用させることができる永久磁石が固定され、鉄芯には連結部材が固定され、鉄芯と永久磁石との間の磁力で表示板が回動できる位置で表示板が連結部材に軸着され、上記ケース内に納装される各表示ユニットは同一の構成を有し、各表示ユニットのコイルは、ケース内の後部に配設され基台を固定する印刷配線板上に実装されて並列接続され、コイルに電気的に接続されて印刷配線板より突出する端子がケースより外部に引き出されたことを特徴とする表示素子。
(2)上記ケース内に２個の表示ユニットが納装され、両表示ユニットは表示板がケースの前面に交差する位置で表示面が互いに対向するように配置されたことを特徴とする請求項１記載の表示素子。
(3)上記ケースは、表示板がケースの前面と略平行なときの表示板よりも後方部分が不透明であることを特徴とする請求項１または請求項２記載の表示素子。」
　
〔２〕引用例
　これに対して、原査定の拒絶の理由に引用された本願の出願の日前に頒布された引用例１（実願昭60-5292号（実開昭61-121484号）のマイクロフィルム）には、表示器用素子に関して、第１〜６図とともに以下に事項が記載されている。
　ア.「電磁石を前面に突出させて収容すると共に係止部を設けた電磁石ケースと、前記電磁石に吸着される永久磁石を備え、一面を着色した表示板を回動自在に軸支し、前記電磁石を挿入する挿入孔を備え、且つ電磁石ケースの係止部と係合する被係止部とを備えた表示板ケースとより成る表示器用素子。」（実用新案登録請求の範囲）
　イ.「１は前面を着色面とし、裏面に永久磁石２が貼着されている表示板で、前面を透明な透視板３aとした表示板ケース３に回動自在に軸支されていて表示板１が起立した時には、前面から表示板１の着色面が透視される。４は表示板ケース３の裏面に貼着された支持枠で、その貼着によって表示板ケース３と支持枠４とは一体にされており、この支持枠４には挿入孔４aと突縁４bとが設けられている。」（明細書第３頁第12〜20行）
　ウ.「この表示器用素子は第６図のようにディスプレイＡに対し縦横に列設されるので、透視板３aのみが表面に露出する。そこで、表示板ケース３を電磁石カバー６から取外すための工具が第５図に示されている。この工具は先端に小突部10aを備えた突片10が係止爪６bに対応する位置に設けられており、この突片10を係止爪６bと窪み３aとの間に押し込むと、係止爪６bは窪み３aから押し出され、表示板ケース３と電磁石カバー６の係合が解除されると共に、代って小突部10aが窪み３aに嵌入する。従ってこの状態で工具を手前に引き戻せば表示板ケース３が抜き取れるので、これを交換することにより表示板１の交換ができる。」（明細書第６頁第５〜19行）
　
　同じく引用例２（特開昭57-34585号公報）には、表示器に関して、第１〜６図とともに以下に事項が記載されている。
　エ.「永久磁石と電磁石の吸引反発作用によって表示板を回動自在に構成し、かつ前記表示板の回動に応動して開閉するスイッチを設け、このスイッチの開閉によって表示器の動作状態を判断するようにしたことを特徴とする表示器。」（特許請求の範囲の請求項１）
　オ.「15はプラスッチク材料からなる支持枠で、一対の支持腕15aを有し、その先端には上記表示板10の回転軸10cを回転自在に受入れる軸承孔15bがそれぞれ穿設されている。16は支持枠15に支持された電磁石で鉄心16aとその回りに巻回されたコイル16bとからなり、鉄心16aの一端が上記永久磁石11と対向する位置に配置されている。」（第２頁右下欄第４〜12行）
　カ.「17は支持枠15の各支持腕15aの先端に取付けられたバネ接点で、支持腕15aの下側に印刷された導体15cを介して端子d及びeにそれぞれ接続されている。」（第３頁左上欄第８〜12行）
　キ.「電磁石16の鉄心16aのＮ極と永久磁石11のＳ極及びＮ極との間にそれぞれ吸引・反発力が働いて表示板10が図示にように起立され、表示板10の表示面10bが正面に向けられるようになって表示が行なわれる」（第３頁右上欄第２〜６行）
　
〔３〕対比・判断
　本願発明１と引用例１、２に記載の事項を対比すると、
　引用例１に記載のものには「少なくとも前面が透明なケースと、ケースの前面に略平行になる位置とケースの前面に交差する位置との間で起伏する表示板を備えケース内に着脱自在に納装された表示ユニットとを具備し、表示ユニットは、ケース内の定位置に固定可能であってコイルが巻装されるコイルボビンが一体に形成された基台を備えるとともに、コイルボビンに挿通される形で一端部が基台に固定された鉄芯を有し、表示板には鉄芯の他端面との間で磁力を作用させることができる永久磁石が固定され、鉄芯には連結部材が固定され、鉄芯と永久磁石との間の磁力で表示板が回動できる位置で表示板が連結部材に軸着されたことを特徴とする表示素子」が記載され、
　引用例２に記載のものには「前面に略平行になる位置と前面に交差する位置との間で起伏する表示板を備えた表示ユニットとを具備し、表示ユニットは、それぞれケース内の定位置に固定可能であってコイルが巻装されるコイルボビンが一体に形成された基台を備えるとともに、コイルボビンに挿通される形で一端部が基台に固定された鉄芯を有し、表示板には鉄芯の他端面との間で磁力を作用させることができる永久磁石が固定され、鉄芯には連結部材が固定され、鉄芯と永久磁石との間の磁力で表示板が回動できる位置で表示板が連結部材に軸着されたことを特徴とする表示素子」の構成を具備しているが、
　本願発明１の必須の構成である「ケース内に着脱自在に納装された複数個の表示ユニットとを具備し、・・・上記ケース内に納装される各表示ユニットは同一の構成を有し、各表示ユニットのコイルは、ケース内の後部に配設され基台を固定する印刷配線板上に実装されて並列接続され、コイルに電気的に接続されて印刷配線板より突出する端子がケースより外部に引き出された」構成を具備していない。
　そして、本願発明１は、上記の構成を具備することにより、「ケース内に複数個の表示ユニットを納装しているから、ケース内に１個の表示ユニットを納装する場合に比較すれば、ケースの前面の大きさに対するケースと表示板との距離を小さくすることができ、表示板の表示面が視認しやすくなる」、「各表示ユニットの表面板を小さくすることができて慣性モーメントが小さくなるから、表示板を反転させるのに要する電力を小さくすることができる。」という明細書に記載の効果を奏するものと認められる。
　したがって、本願発明１は、引用例１、２に記載の発明に基づいて当業者が容易に想到することができたものとは認められない。
　本願発明２、３は、本願発明１を引用した発明であるから、本願発明１が引用例１、２記載のものに基づいて当業者が容易に想到することができない以上、引用例１、２に記載の発明に基づいて当業者が容易に想到することができたものとは認めることができない。
　
〔４〕むすび
　以上のとおりであるから、本願発明１〜３は、引用例１、２に記載された発明に基づいて当業者が容易に発明をすることができたものとは認められない。
　また、他に本願発明１〜３につき、拒絶をすべき理由を発見しない。
　よって、結論のとおり審決する。